(57)【要約】      （修正有）【課題】低コストで設置及び運用し得、対象物を安全に保管して取り出し得る保管庫を提供する。【解決手段】保管庫本体Ａの開口部Ａ１を開閉する扉体Ｂに有する錠装置Ｃは、扉体Ｂ外部から操作し得る直接回動部Ｃ１及びその径方向内方の鍵用回動部と、掛止部を設けた掛止用回動体を有し、それらは同一軸線まわりに回動する。閉扉解錠で直接回動部Ｃ１を正回転させると、掛止用回動体及び掛止部を正回転させて保管庫本体Ａの被掛止部Ａ３に掛止させ、施錠して扉体Ｂを閉扉状態に維持し得る。施錠状態で直接回動部Ｃ１を逆回転させても掛止用回動体は回転せず解錠し得ない。施錠閉扉で鍵用回動部に鍵を差し込んで逆回転させると、掛止用回動体及び掛止部を逆回転させて保管庫本体Ａの被掛止部Ａ３に対する掛止部の掛止を解除して解錠し、扉体Ｂを開扉し得る。【選択図】図２
2020197076.tif 000002
【特許請求の範囲】
【請求項１】
対象物を収容する内部空間である保管部を備えた保管庫本体と、その保管部に前記対象物を出し入れするための開口部と、その開口部を開閉し得る扉体と、扉体を閉扉状態に維持する錠装置を有する保管庫であって、
前記錠装置は、扉体が閉扉状態である場合に何れも外部から操作し得る直接回動部と鍵用回動部を有し、
前記直接回動部と鍵用回動部は、同一状の回動軸線のまわりに回動し得るものであり、
前記錠装置は、解錠状態であって且つ閉扉状態である場合には、前記直接回動部を直接操作して回動させることにより施錠され得、施錠状態であって且つ閉扉状態である場合には、前記直接回動部を操作しても解錠され得ず、適合する鍵により前記鍵用回動部を回動させることにより解錠され得ることを特徴とする保管庫。
【請求項２】
上記直接回動部の径方向内方部に上記鍵用回動部を有する請求項１記載の保管庫。
【請求項３】
上記直接回動部と鍵用回動部が、上記扉体が閉扉状態である場合に何れもその扉体の外部側から操作し得るものである請求項１又は２記載の保管庫。
【請求項４】
上記錠装置は、解錠状態であって且つ閉扉状態である場合には、上記直接回動部を直接操作して正回転させることにより施錠され得、施錠状態であって且つ閉扉状態である場合には、前記直接回動部を操作しても解錠され得ず、適合する鍵により上記鍵用回動部を逆回転させることにより解錠され得るものである請求項１乃至３の何れか１項に記載の保管庫。
【請求項５】
上記錠装置における解錠状態と施錠状態の転換に連動してそれぞれの状態を示す表示部を、扉体が閉扉状態である場合に外部から視認されるように有する請求項１乃至４の何れか１項に記載の保管庫。
【発明の詳細な説明】
【技術分野】
【０００１】
本発明は、錠装置を備えた保管庫に関する。
【背景技術】
【０００２】
特開２００２−８５２４６には、通信回線を利用する電子錠により施錠され、暗証番号等を入力して解錠することにより保管されている配送物を取り出すことができる宅配ボックスが記載されている。
【０００３】
この種の宅配ボックスは、インターネット等の通信網を介してスマートフォンやパソコン等を利用した情報伝達を行うことにより、様々な管理をほぼリアルタイムで行うことができるものであるが、その設置及び運用のコストは高く、必ずしも関係する利用者の要求に合致するとは言えない。
【先行技術文献】
【特許文献】
【０００４】
【特許文献１】特開２００２−８５２４６号公報
【発明の概要】
【発明が解決しようとする課題】
【０００５】
本発明は、低コストで設置及び運用することができ、配送物等の対象物を安全に保管して取り出すことができる保管庫を提供することを目的とする。
【課題を解決するための手段】
【０００６】
本発明の保管庫は、次のように表すことができる。
【０００７】
(1) 対象物を収容する内部空間である保管部を備えた保管庫本体と、その保管部に前記対象物を出し入れするための開口部と、その開口部を開閉し得る扉体と、扉体を閉扉状態に維持する錠装置を有する保管庫であって、
前記錠装置は、扉体が閉扉状態である場合に何れも外部から操作し得る直接回動部と鍵用回動部を有し、
前記直接回動部と鍵用回動部は、同一状の回動軸線のまわりに回動し得るものであり、
前記錠装置は、解錠状態であって且つ閉扉状態である場合には、前記直接回動部を直接操作して回動させることにより施錠され得、施錠状態であって且つ閉扉状態である場合には、前記直接回動部を操作しても解錠され得ず、適合する鍵により前記鍵用回動部を回動させることにより解錠され得ることを特徴とする保管庫。
【０００８】
対象物を収容して閉扉した状態で施錠する操作は、鍵なしで直接回動部を回動させることにより配達業者等が容易に行い得る。また、閉扉施錠状態において開扉して対象物を取り出すために解錠するには、適合する鍵により鍵用回動部を回動させることを要するので安全に対象物を保管して取り出すことができる。
【０００９】
このような操作のための直接回動部と鍵用回動部は、同一状の回動軸線のまわりに回動し得、扉体が閉扉状態である場合に何れも外部から操作し得るものであるため、施錠及び解錠の操作が分かり易く、円滑な操作を可能とし、直接回動部と鍵用回動部を設けるためのスペースや操作するために必要なスペース及びそれらを設けるためのコストを可能な限り抑えることができる。
【００１０】
(2) 上記直接回動部の径方向内方部に上記鍵用回動部を有する上記(1)記載の保管庫。
【００１１】
(3) 上記直接回動部と鍵用回動部が、上記扉体が閉扉状態である場合に何れもその扉体の外部側から操作し得るものである上記(1)又は(2)記載の保管庫。
【００１２】
(4) 上記錠装置は、解錠状態であって且つ閉扉状態である場合には、上記直接回動部を直接操作して正回転させることにより施錠され得、施錠状態であって且つ閉扉状態である場合には、前記直接回動部を操作しても解錠され得ず、適合する鍵により上記鍵用回動部を逆回転させることにより解錠され得るものである上記(1)乃至(3)の何れか１項に記載の保管庫。
【００１３】
(5) 上記錠装置における解錠状態と施錠状態の転換に連動してそれぞれの状態を示す表示部を、扉体が閉扉状態である場合に外部から視認されるように有する上記(1)乃至(4)の何れか１項に記載の保管庫。
【発明の効果】
【００１４】
本発明の保管庫は、対象物を収容して閉扉した状態で施錠する操作を鍵なしで配達業者等が容易に行い得、解錠開扉して対象物を取り出すためには適合する鍵を用いることを要するので安全に対象物を保管して取り出すことができる。
【００１５】
このような操作のための直接回動部と鍵用回動部は、同一状の回動軸線のまわりに回動し得、扉体が閉扉状態である場合に何れも外部から操作し得るものであるため、施錠及び解錠の操作が分かり易く、円滑な操作を可能とし、直接回動部と鍵用回動部を設けるためのスペースや操作するために必要なスペース及びそれらを設けるためのコストを可能な限り抑えることができる。
【図面の簡単な説明】
【００１６】
【図１】解錠・閉扉状態の斜視図である。
【図２】解錠・開扉状態の斜視図である。
【図３】解錠・開扉状態の斜視図である。
【図４】解錠状態の扉体の要部正面図(a)及び要部背面図(b)である。
【図５】解錠から施錠に至る途中の扉体の要部正面図(a)及び要部背面図(b)である。
【図６】施錠状態の扉体の要部正面図(a)及び要部背面図(b)である。
【発明を実施するための形態】
【００１７】
[1] 本発明の実施の形態を、図面を参照しつつ説明する。
【００１８】
図面は何れも本発明の保管庫の実施の形態の一例に関するものである。
【００１９】
この保管庫は、宅配荷物等の配送物や手荷物等の対象物を一時的に保管し、必要時に取り出すために用い得るものであり、保管庫本体Ａと、開口部Ａ１と、扉体Ｂと、錠装置Ｃを有する。
【００２０】
(1) 保管庫本体Ａは、略直方体形状の一つの垂直状の面（仮想的な面）において前方に開口する開口部Ａ１を有する金属製の箱状をなし、その内側を、対象物を収容する内部空間である保管部Ａ２とする。
【００２１】
(2) 扉体Ｂは、金属製の略板状をなす回動扉であり、水平方向の一端部付近に位置する垂直方向の回動軸線のまわりに回動することにより開口部Ａ１を開閉し得、保管部Ａ２に対象物を出し入れするために開き、保管部Ａ２に収容した物品を保管するために閉じる。
【００２２】
(3) 扉体Ｂは、その扉体Ｂに設けられ扉体Ｂの正面外部から操作し得る錠装置Ｃを施錠状態とすることにより閉扉状態に維持することができる。なお、保管庫本体Ａに設けた永久磁石体Ｍ１と扉体Ｂに設けた鉄系材料製の被吸着部Ｍ２の間の磁気吸着力によって、錠装置Ｃが解錠状態である場合において扉体Ｂが閉じた状態を保持し得、その磁気吸着力に対抗する力を扉体Ｂに設けた取手部Ｂ２を介する等して外部から加えることにより、扉体Ｂを開くことができる。
【００２３】
錠装置Ｃは、何れも扉体Ｂの正面外部から操作し得る直接回動部Ｃ１及び鍵用回動部Ｃ２と、掛止用回動体Ｃ３と、その掛止用回動体Ｃ３に設けられ扉体Ｂの内部側において径方向外方に突出する掛止部Ｃ４を有してなる。
【００２４】
直接回動部Ｃ１の径方向内方部に、互いに同一の回動軸線のまわりに回動し得るように鍵用回動部Ｃ２を有し、その回動軸線と同一の回動軸線のまわりに掛止用回動体Ｃ３も回動し得る。
【００２５】
扉体Ｂが閉扉状態である場合に解錠状態で直接回動部Ｃ１を直接操作して正回転（この例では扉体Ｂの外部から見て左回り）させると、掛止用回動体Ｃ３を正回転させることができ、掛止部Ｃ４を正回転させて保管庫本体Ａの被掛止部Ａ３に掛止させることにより、施錠状態として扉体Ｂを閉扉状態に維持することができる。施錠状態において直接回動部Ｃ１を逆回転させても、フリーホイール状の機構により掛止用回動体Ｃ３は回転せず、解錠することはできない。
【００２６】
施錠状態であって且つ閉扉状態である場合に鍵用回動部Ｃ２に設けた鍵穴Ｃ５に適合する鍵を差し込んで逆回転させると、掛止用回動体Ｃ３を逆回転させることができ、掛止部Ｃ４を逆回転させて保管庫本体Ａの被掛止部Ａ３に対する掛止部Ｃ４の掛止を解除して解錠し、扉体Ｂを開扉することができる。
【００２７】
(4) 掛止用回動体Ｃ３には、「解錠」Ｅ１及び「施錠」Ｅ２を示す表示部Ｅが結合されている。
【００２８】
錠装置Ｃの解錠と施錠に応じて掛止用回動体Ｃ３により表示部Ｅが回動し、解錠状態と施錠状態に連動してそれぞれの状態（「解錠」Ｅ１及び「施錠」Ｅ２）が扉体Ｂに設けられた表示窓Ｂ１を通じて閉扉状態の扉体Ｂの外部から視認し得る。
【００２９】
[2] 本発明の実施の形態を、上記以外の形態を含めて更に説明する。
【００３０】
本発明の保管庫は、保管庫本体と、開口部と、扉体と、錠装置を有する。
【００３１】
本発明の保管庫は、主として、宅配荷物等の配送物や手荷物等の対象物を一時的に保管し、必要時に取り出すためのものであるが、必ずしもこの用途に限るものではない。
【００３２】
(1) 保管庫本体は、対象物を収容する内部空間である保管部を備える。
【００３３】
保管庫本体は、例えば、略直方体形状の一つの面において前方に開口する開口部を有する箱状をなし、その内側を保管部とするものとすることができるが、これに限るものではなく、一つの構造体の一部又は全体に１又は複数の保管部が形成されたものとすることができる。
【００３４】
開口部は、保管部への対象物の収容及び保管部からの対象物の取り出しのための十分な開口面積を有するものとすることができる。
【００３５】
(2) 扉体は、開口部を開閉し得、保管部に対象物を出し入れするために開き、保管部に収容した物品を保管するために閉じるものである。扉体は、回動扉が通常であるが、必ずしもこれに限らない。
【００３６】
扉体は、一般的には、保管庫の外周部（例えばほぼ垂直状をなす外周部。１つの保管庫の外形又は構造体の一部若しくは全体に１若しくは複数の保管部が形成されている場合の１つの保管庫に相当する部分が略直方体形状をなすものである場合は、例えば前面部。）に、垂直状の面（仮想的な面）に沿った十分な面積の開口部を形成するために、その開口部に対応する形状（例えば、その開口部を閉塞し得る略板状）をなし、前記垂直状の面に沿う水平方向の一端部付近に位置する垂直方向の回動軸線のまわりに回動することにより開閉するものとすることができる。但し、これに限るものではない。
【００３７】
(3) 錠装置は、扉体を閉扉状態に維持するものである。錠装置により扉体が閉扉状態に維持されている場合、非常解錠装置を有する場合における非常解錠等の例外を除き、錠装置を通常の手段で解錠しない限り扉体を開くことはできないものである。
【００３８】
(3-1) 錠装置は、扉体が閉扉状態である場合に何れも外部（好ましくは扉体の外部側）から操作し得る直接回動部と鍵用回動部を有し、直接回動部と鍵用回動部は、同一状の回動軸線のまわりに回動し得る。例えば直接回動部の径方向内方部に鍵用回動部を有するものとすることができる。
【００３９】
(3-2) 尤も、錠装置の直接回動部及び鍵用回動部の一方又は両方は、扉体が開扉状態である場合においても閉扉状態と同様に外部から操作し得るものであってもよい。なお、直接回動部は、例えば、開扉状態である場合に施錠操作を行い得ないものとすることや、開扉状態である場合に又は扉の状態にかかわらず扉体の内部側において（例えば後述の掛止用回動体を回動させて）解錠させる操作が可能なものとすることもできる。
【００４０】
(3-3) また直接回動部と鍵用回動部は、例えば、同一状の回動軸線のまわりに、一体的に回動するもの、互いに独立に回動するもの、又は、互いに所定の関係で回動するものとすることができる。
【００４１】
(3-4) 錠装置は、解錠状態であって且つ閉扉状態である場合には、直接回動部を（操作者の手指等により）直接操作して（例えば所定の向きに）回動させることにより施錠され得るものである。
【００４２】
また錠装置は、施錠状態であって且つ閉扉状態である場合には、直接回動部に（例えば所定の向きと逆向きに回動させるような）操作を行っても解錠され得ず、適合する鍵により（通常はその鍵を鍵用回動部に設けた鍵穴に差し込んで）鍵用回動部を回動させることにより解錠され得る。なお、前記適合する鍵により鍵用回動部を回動させることにより施錠も可能とすることもできる。
【００４３】
(i) より具体的には、例えば、直接回動部の径方向内方部に鍵用回動部を、互いに同一状の回動軸線のまわりに回動し得るように有するものにおいて、その回動軸線と同一状の回動軸線のまわりに回動し得る掛止用回動体（例えば回動管又は回動軸）を有し、その掛止用回動体には、扉体の内部側において径方向外方に突出する掛止部を有するものを挙げることができる。
【００４４】
この場合において、解錠状態で直接回動部を直接操作して正回転（施錠し得る回転）させると、掛止用回動体を正回転させることができ、直接回動部を逆回転させても掛止用回動体が回転しない機構（ラチェットやフリーホイール状機構等）を有し、施錠状態で鍵用回動部に設けた鍵穴に適合する鍵を差し込んで逆回転させると、掛止用回動体を逆回転させることができるものとすることができる。解錠状態で鍵を正回転させることにより掛止用回動体を正回転させることも可能であってもよい。
【００４５】
錠装置が解錠状態であって且つ閉扉状態である場合に、直接回動部を正回転させ、掛止部を正回転させて保管庫本体の被掛止部に掛止させることにより、施錠状態として扉体を閉扉状態に維持することができる。この施錠状態であって且つ閉扉状態である場合に、鍵用回動部に設けた鍵穴に適合する鍵を差し込んで逆回転させることにより、掛止用回動体及び掛止部を逆回転させて保管庫本体の被掛止部に対する掛止部の掛止を解除して解錠し、扉体を開扉することができる。
【００４６】
(ii) 或いは例えば、直接回動部の径方向内方部に鍵用回動部を、互いに同一状の回動軸線のまわりに回動し得るように有するものにおいて、錠装置が解錠状態であって且つ閉扉状態である場合に、直接回動部を正回転（施錠し得る回転）させることにより施錠することができ、その施錠状態においては、直接回動部の逆回転を許さないロック部（少なくとも直接回動部が施錠状態となるまでの正回転は許容するもの）によって、直接回動部を逆回転させることによる解錠ができないものとすることができる。この施錠状態であって且つ閉扉状態である場合に、鍵用回動部に設けた鍵穴に適合する鍵を差し込んで逆回転させることにより、（例えば回動軸線方向の所定の向きに付勢されてロック可能位置に保持されているロック部を前記所定の向きと逆向きにロック解除位置まで押し出して）ロックを解除することができ、且つ錠装置を解錠して開扉することができるもの（その後、ロック部は付勢によりロック可能位置に復帰して保持されるもの）とすることができる。
【００４７】
(3-5) なお、本発明の保管庫は、錠装置が解錠状態である場合において扉体が閉じた状態を保持し得る閉扉状態保持部を有し、閉扉状態保持を解除するための操作が外部（好ましくは扉体の外部側）において行われるものとすることができる。
【００４８】
前記閉扉状態保持部は、例えば、錠装置が解錠状態である場合において保管庫本体と扉体の一方に設けた永久磁石体と他方の鉄系材料等の強磁性材料部分の間の磁気吸着力により扉体が閉じた状態を保持し得、その磁気吸着力に対抗する力を外部から加えることにより、扉体を開くことができるものとすることができる。
【００４９】
前記閉扉状態保持部の他の例としては、扉体側に設けられた扉体側係合部及び保管庫本体の側に設けられた本体側係合部であって、閉扉状態において両者（扉体側係合部と本体側係合部）が係合している場合は開扉し得ず両者が係合していない場合は開扉し得るもの、並びに、扉体側係合部と本体側係合部の係合及び係合解除の動作を行わせる動作機構部からなり、動作機構部に対する通常の操作が外部において行われるものを挙げることができる。
【００５０】
動作機構部に対する操作の操作対象部は、例えば、扉体の外部側又は保管庫の外部におけるその他の位置に設けることができる。操作対象部の例としては、回動操作が行われるレバー、ノブ若しくは摘み（例えば直接回動部及び鍵用回動部とは別の位置において回動するもの又はそれらの外周側においてそれらと同一状の回動軸線のまわりに回動するもの）を挙げることができる。
【００５１】
(4) 錠装置における解錠状態と施錠状態の転換に連動してそれぞれの状態（例えば「解錠」及び「施錠」）を示す表示部を、扉体が閉扉状態である場合に閉扉状態の扉体の外部から視認されるように有するものとすることが利用者や宅配業者等の利便性において望ましい。
【符号の説明】
【００５２】
Ａ      保管庫本体
Ａ１    開口部
Ａ２    保管部
Ａ３    被掛止部
Ｂ      扉体
Ｂ１    表示窓
Ｂ２    取手部
Ｃ      錠装置
Ｃ１    直接回動部
Ｃ２    鍵用回動部
Ｃ３    掛止用回動体
Ｃ４    掛止部
Ｃ５    鍵穴
Ｅ      表示部
Ｅ１    解錠表示
Ｅ２    施錠表示
Ｍ１    永久磁石体
Ｍ２    被吸着部
【図１】
2020197076.tif 000003
【図２】
2020197076.tif 000004
【図３】
2020197076.tif 000005
【図４】
2020197076.tif 000006
【図５】
2020197076.tif 000007
【図６】
2020197076.tif 000008